(57)【要約】【課題】カラオケ装置への電力供給が停止した場合でも、エラーが発生したハードディスクを作業者が容易に特定することを可能とすること。【解決手段】メイン制御部７によって複数のＨＤＤ１０，１１のうちの特定のＨＤＤ１０にエラーが発生したと判断された場合には、エラー表示回路９が、電源部１１７から供給された電力を利用して、そのＨＤＤ１０に対応するＬＥＤ１２を発光させてエラーが発生した旨を報知させる。そして、エラーが発生したＨＤＤ１０を交換する際に当該カラオケコマンダ２０の電源部１１７への電力供給が停止された場合にも、エラー表示回路９が、充電電池９３から供給された電力を利用してＬＥＤ１２を引き続き発光させてＨＤＤ１０にエラーが発生した旨を報知させる。【選択図】図２
2006163804.tif 000002
【特許請求の範囲】
【請求項１】
楽曲データを含む各種データを記憶可能な複数の補助記憶装置と、
前記複数の補助記憶装置をそれぞれ挿入可能な複数のスロットを有するとともに、前記スロットに挿入された前記補助記憶装置を前記スロットから取り外すためにその一部が開放可能に構成された筐体と、
を備え、前記補助記憶装置から各種データを読み出してカラオケ演奏するカラオケ装置であって、
前記補助記憶装置の内部にエラーが発生した際にそのエラー発生を検出するとともにエラーが発生した補助記憶装置を特定可能なエラー検出部と、
前記複数の補助記憶装置に対してそれぞれ関連付けられて設置され、発光可能な複数の発光部と、
少なくとも前記エラー検出部によって前記複数の補助記憶装置のうちの特定の補助記憶装置にエラーが発生したと判断された場合には、その旨を、前記複数の発光部の何れかを発光させることによって報知させる発光制御部と、
電力を蓄えることが可能な蓄電部と、
少なくとも前記複数の発光部、前記発光制御部および前記蓄電部に対して電力を供給可能な電源部と、
を備え、
前記蓄電部は、前記電源部からの電力供給が停止しているときには、少なくとも前記複数の発光部および前記発光制御部に対して蓄えた電力を供給可能に構成されていること
を特徴とするカラオケ装置。
【請求項２】
請求項１に記載のカラオケ装置において、
少なくとも前記複数の発光部、前記発光制御部および前記蓄電部に対する前記電源部からの電力供給の状態を検出する電源状態検出部を備え、
前記発光制御部は、前記エラー検出部によって前記複数の補助記憶装置のうちの特定の補助記憶装置にエラーが発生したと判断され、且つ前記電源状態検出部によって少なくとも前記複数の発光部、前記発光制御部および前記蓄電部に対して前記電源部から電力供給がなされていないと判断されたときには、特定の補助記憶装置にエラーが発生した旨を、前記発光部を発光させることによって報知させること
を特徴とするカラオケ装置。
【請求項３】
請求項１に記載のカラオケ装置において、
前記筐体の一部が開放されたことを検出可能な開放検出部を備え、
前記発光制御部は、前記エラー検出部によって前記複数の補助記憶装置のうちの特定の補助記憶装置にエラーが発生したと判断され、且つ前記開放検出部によって前記筐体の一部が開放されたと判断されたときには、特定の補助記憶装置にエラーが発生した旨を、前記発光部を発光させることによって報知させること
を特徴とするカラオケ装置。
【請求項４】
請求項２に記載のカラオケ装置において、
前記筐体の一部が開放されたことを検出可能な開放検出部を備え、
前記発光制御部は、前記エラー検出部によって前記複数の補助記憶装置のうちの特定の補助記憶装置にエラーが発生したと判断され、且つ前記電源状態検出部によって少なくとも前記複数の発光部、前記発光制御部および前記蓄電部に対して前記電源部から電力供給がなされていないと判断された場合に、さらに前記開放検出部によって前記筐体の一部が開放されたと判断されたときには、特定の補助記憶装置にエラーが発生した旨を、前記発光部を発光させることによって報知させること
を特徴とするカラオケ装置。
【請求項５】
請求項１〜請求項４の何れかに記載のカラオケ装置において、
前記複数の補助記憶装置が前記複数のスロットにそれぞれ装着されていることを検出可能な補助記憶装置装着検出部を備え、
前記発光制御部は、前記発光部に発光させることによって特定の補助記憶装置にエラーが発生した旨を報知させている場合において、前記補助記憶装置装着検出部によってそのエラーが発生した補助記憶装置が装着された状態から装着されていない状態になったと判断されたときには、前記発光部による発光を終了させること
を特徴とするカラオケ装置。
【発明の詳細な説明】
【技術分野】
【０００１】
本発明は、カラオケ装置において、カラオケ装置への電力供給が停止した場合でも、エラーが発生したハードディスクなどの補助記憶装置を作業者が容易に特定することを可能とする技術に関する。
【背景技術】
【０００２】
従来より、ハードエラーの検出機能を備え、ハードエラー検出に基づきハードエラーの内容に応じた故障診断を行ってその診断結果を出力し、またその診断結果に異常がないときは本来の運用プログラムの再立上げを行う故障診断機能付コンピュータ装置が知られている。このようなコンピュータ装置においては、ハード故障によるエラー発生時にはエラー情報を表示装置に出力している（例えば、特許文献１参照。）。なお、このようなコンピュータ装置の一例としては、利用者によって予約された楽曲を予約順にカラオケ演奏するカラオケ装置が挙げられる。
【０００３】
また、上述のカラオケ装置においては、楽曲データなどを記憶するためのハードディスク、上述のハードディスクが故障した場合に備えて楽曲データなどの複製を記憶ための予備のハードディスク、およびカラオケ装置の筐体に設けられ、ハードディスクおよび予備のハードディスクの取り付け・取り外しを行うための開閉蓋を備えているものがある。
【特許文献１】特開平８−１９４６２９号公報（第３頁、図１）
【発明の開示】
【発明が解決しようとする課題】
【０００４】
しかし、上述のようなカラオケ装置においては、ハードエラーが発生したハードディスクを交換する際にはカラオケ装置への電力供給を停止する必要があるためにエラー情報を表示装置にて確認することができなくなり、仮にエラー情報にハードエラーが発生したハードディスクを特定する情報が含まれていても、ハードディスクの交換作業中にはエラー情報を確認することができないためにハードエラーが発生したハードディスクを作業者が特定することが困難であるという問題があった。特に、カラオケ装置は暗い場所に設置されることが多く、そのような場合には上述のハードエラーが発生したハードディスクの特定がより困難となる。
【０００５】
また、ハードエラーが発生したハードディスクの交換時にはカラオケ装置の各構成部位の保護のためにカラオケ装置への電源供給を停止するため、表示装置によるエラー情報の表示も行われない。このため、ハードエラーが発生したハードディスクの交換作業中に作業者がエラー情報を確認することができず、このことが上述のハードエラーが発生したハードディスクの特定をより困難なものとする一因となっている。
【０００６】
なお、このようなことは楽曲データなどを記憶するためのハードディスクをカラオケ装置が備える場合に限られず、例えば書換型ＩＣカードなどの補助記憶装置をカラオケ装置が備える場合においても同様の問題が生じると考えられる。
【０００７】
本発明は、このような不具合に鑑みなされたものであり、その目的とするところは、カラオケ装置において、カラオケ装置への電力供給が停止した場合でも、エラーが発生したハードディスクを作業者が容易に特定することを可能とする技術を提供することにある。
【課題を解決するための手段】
【０００８】
上記課題を解決するためになされた請求項１に係るカラオケ装置は、エラーが発生したハードディスクなどの補助記憶装置の設置位置をＬＥＤなどの発光部による発光によって報知するとともに、カラオケ装置への電力供給が停止した場合でも、コンデンサなどに蓄えておいた電力を利用して発光部による発光を継続することを特徴とする。
【０００９】
具体的には、上述のカラオケ装置は、楽曲データを含む各種データを記憶可能な複数の補助記憶装置と、複数の補助記憶装置をそれぞれ挿入可能な複数のスロットを有するとともに、スロットに挿入された補助記憶装置をスロットから取り外すためにその一部が開放可能に構成された筐体と、を備えており、補助記憶装置から各種データを読み出してカラオケ演奏するよう構成されている。また、このカラオケ装置は、補助記憶装置の内部にエラーが発生した際にそのエラー発生を検出するとともにエラーが発生した補助記憶装置を特定可能なエラー検出部と、複数の補助記憶装置に対してそれぞれ関連付けられて設置され、発光可能な複数の発光部と、発光制御部と、電力を蓄えることが可能な蓄電部と、少なくとも複数の発光部、発光制御部および蓄電部に対して電力を供給可能な電源部と、を備え、少なくともエラー検出部によって複数の補助記憶装置のうちの特定の補助記憶装置にエラーが発生したと判断された場合には、発光制御部が、その旨を、複数の発光部の何れかを発光させることによって報知させる。そして、電源部からの電力供給が停止しているときには、蓄電部が、予め補助記憶装置交換時間を設定し、前記設定時間以上の期間、少なくとも複数の発光部および発光制御部に対して蓄えた電力を供給する。
【００１０】
このように構成された本発明によれば、次のような作用を奏する。すなわち、少なくともエラー検出部によって複数の補助記憶装置のうちの特定の補助記憶装置にエラーが発生したと判断された場合には、発光制御部が、電源部から供給された電力を利用して発光部を発光させて特定の補助記憶装置にエラーが発生した旨を報知させる。そして、エラーが発生した補助記憶装置を交換する際にカラオケ装置の電源部への電力供給が停止された場合にも、発光制御部が、蓄電部から供給された電力を利用して発光部を引き続き発光させて特定の補助記憶装置にエラーが発生した旨を報知させる。このように、エラーが発生した補助記憶装置の設置位置ＬＥＤなどの発光部による発光によって報知するとともに、カラオケ装置への電力供給が停止した場合でもコンデンサなどに蓄えておいた電力を利用して発光部による発光を継続するので、カラオケ装置への電力供給が停止した場合でも、エラーが発生した補助記憶装置を作業者が容易に特定することができる。
【００１１】
また、本発明によれば、エラーが発生した補助記憶装置の設置位置をＬＥＤなどの発光部による発光によって報知するので、カラオケ装置が暗い場所に設置されている場合でも、エラーが発生した補助記憶装置を作業者が容易に特定することができる。
【００１２】
上述の補助記憶装置の具体例としては、ハードディスクや書換型ＩＣカードなどが挙げられる。また、上述の発光部の具体例としては、例えばＬＥＤや電球などが考えられる。また、発光部については、各補助記憶装置に対してそれぞれ関連付けられて設置されている。この場合、各補助記憶装置と各発光部との対応関係を明確にするために各補助記憶装置と各発光部とを関連付けるための線分や円などの図形や文字、記号をスロットに印刷してもよい。
【００１３】
上述の発光部を発光させるタイミングとしては、上述のように「少なくともエラー検出部によって複数の補助記憶装置のうちの特定の補助記憶装置にエラーが発生したと判断された場合」が考えられ、具体的には例えば次のようなタイミングが考えられる。すなわち、（イ）エラー検出部によって複数の補助記憶装置のうちの特定の補助記憶装置にエラーが発生したと判断された際に、直ちに発光部を発光させることが考えられる。このようにすれば、補助記憶装置にエラーが発生したことを迅速に知らせることができる。
【００１４】
また、（ロ）上述のようにエラー検出部によって複数の補助記憶装置のうちの特定の補助記憶装置にエラーが発生したと判断され、且つカラオケ装置の電源をオフにしたときに発光部を発光させることが考えられる。具体的には、請求項２のように、少なくとも複数の発光部、発光制御部および蓄電部に対する電源部からの電力供給の状態を検出する電源状態検出部を備え、発光制御部が、エラー検出部によって複数の補助記憶装置のうちの特定の補助記憶装置にエラーが発生したと判断され、且つ電源状態検出部によって少なくとも複数の発光部、発光制御部および蓄電部に対して電源部から電力供給がなされていないと判断されたときには、特定の補助記憶装置にエラーが発生した旨を、前記発光部を発光させることによって報知させることが考えられる。このようにすれば、エラーが発生した補助記憶装置を交換すると想定される「発光部などに対して電源部から電力供給がなされていない」と判断されたときに発光部を発光させることができ、補助記憶装置の交換が行われない時間帯に蓄電部の電力が浪費されることを防ぐことができる。
【００１５】
さらに、（ハ）上述のようにエラー検出部によって複数の補助記憶装置のうちの特定の補助記憶装置にエラーが発生したと判断され、且つ補助記憶装置を交換するための筐体の一部が開放されたと判断されたときに発光部を発光させることが考えられる。具体的には、請求項３のように、筐体の一部が開放されたことを検出可能な開放検出部を備え、発光制御部が、エラー検出部によって複数の補助記憶装置のうちの特定の補助記憶装置にエラーが発生したと判断され、且つ開放検出部によって筐体の一部が開放されたと判断されたときには、特定の補助記憶装置にエラーが発生した旨を、発光部を発光させることによって報知させることが考えられる。このようにすれば、エラーが発生した補助記憶装置を交換すると想定される筐体の一部の開放時に発光部を発光させることができ、補助記憶装置の交換が行われない時間帯に蓄電部の電力が浪費されることを防ぐことができる。
【００１６】
また、（ニ）上述のようにエラー検出部によって複数の補助記憶装置のうちの特定の補助記憶装置にエラーが発生したと判断され、且つ少なくとも複数の発光部、発光制御部および蓄電部に対して電源部から電力供給がなされていないと判断されたときに、さらに補助記憶装置を交換するための筐体の一部が開放されたと判断されたときに発光部を発光させることが考えられる（請求項４）このようにすれば、補助記憶装置の交換が行われない時間帯に蓄電部の電力が浪費されることをより有効に防ぐことができる。
【００１７】
ところで、エラーが発生した補助記憶装置を交換した場合において、引き続き発光部による発光が続いていると、エラーが発生した補助記憶装置が交換されていないと認識されるおそれがある。そこで、（ホ）エラーが発生した補助記憶装置が外された際には発光を終了させることが考えられる。具体的には、請求項５のように、複数の補助記憶装置が複数のスロットにそれぞれ装着されていることを検出可能な補助記憶装置装着検出部を備え、発光部に発光させることによって特定の補助記憶装置にエラーが発生した旨を報知させている場合において、補助記憶装置装着検出部によってそのエラーが発生した補助記憶装置が装着された状態から装着されていない状態になったと判断されたときには、発光制御部が、発光部による発光を終了させることが考えられる。このようにすれば、エラーが発生した補助記憶装置を取り外せば発光部による発光が終了するので、エラーが発生した補助記憶装置を交換した場合においてエラーが発生した補助記憶装置が交換されていないと作業者に認識されるおそれがない。またこのようにすれば、カラオケ装置の電源がオフである際にも、補助記憶装置が交換されたか否かを作業者が知ることができる。
【発明を実施するための最良の形態】
【００１８】
以下に本発明の実施形態を図面とともに説明する。
図１は、カラオケシステム１０００の全体構成を示すブロック図である。また、図２はエラー表示回路９の内部構成を示す回路図であり、図４はカラオケコマンダ２０の内部に設置されたＨＤＤ１０，１１およびＬＥＤ１２，１３の設置位置を示す説明図（１）であり、図５はカラオケコマンダ２０の内部に設置されたＨＤＤ１０，１１およびＬＥＤ１２，１３の設置位置を示す説明図（２）である。
【００１９】
［第一実施形態］
本実施形態のカラオケシステム１０００は、図１に示すように、複数のカラオケコマンダ２０がＬＡＮを介して互いにデータ通信可能に構成されたものである。なお、図１では２台のカラオケコマンダ２０のみを示していないが、実際には多数のカラオケコマンダ２０がＬＡＮを介して接続されている。また、カラオケコマンダ２０は、ホストＰＣ２１と電話回線を介して接続されており、ホストＰＣ２１から楽曲情報など各種情報の配信を受けることができるよう構成されている。なお、カラオケコマンダ２０とホストＰＣ２１との間はインターネットを介して接続してもよい。
【００２０】
［カラオケコマンダ２０の構成の説明］
カラオケコマンダ２０は、フロントパネル１、コマンダ本体３０、マイク２２，２３、ＤＶＤプレーヤ２４、モニタ２５、パワーアンプ１０３およびスピーカ１０４を備えている。
【００２１】
このうちフロントパネル１は、カラオケコマンダ２０の前面に設けられており、電源スイッチ１ａや曲コード入力スイッチ１ｂ、キーチェンジスイッチ（図示省略）、入力された曲コード等を表示するための７セグメントＬＥＤ１ｃなどを備えている。また、フロントパネル１は、１チップＣＰＵ１ｄをその内部に備えており、この１チップＣＰＵ１ｄは、コマンダ本体３０のメイン制御部７と接続されている。
【００２２】
コマンダ本体３０は、筐体３１、カラオケコマンダ２０全体の動作を制御するメイン制御部７、カラオケコマンダ２０をＬＡＮに接続するためのＬＡＮインターフェース２、カラオケコマンダ２０をホストＰＣ２１に接続するためのモデム３、ＤＶＤプレーヤ２４からの入力信号をメイン制御部７へ入力するための映像入力部４、マイク２２，２３から入力された音声信号を増幅するマイクアンプ５、ＤＶＤプレーヤ２４からの入力信号をデジタル変換するＡＤ変換部６、マイク２２，２３から入力された後にマイクアンプ５にて増幅された音声信号をデジタル変換するＡＤ変換部１１１、メイン制御部７から出力された映像信号をＭＰＥＧ形式にデコードしてモニタ２５へ出力する映像出力ＭＰＥＧデコード８、演奏楽曲の伴奏内容および歌詞を示す楽曲データや映像データなどを記憶するハードディスク（ＨＤＤ）１０，１１、ＨＤＤ１０，１１対応付けてそれぞれ配置されたＬＥＤ１２，１３、エラー表示回路９、音声制御部１０１、音声制御部１０１から出力された楽曲データ、ＡＤ変換部１１１によってデジタル変換されたマイクからの音声信号およびＡＤ変換部６によってデジタル変換されたＤＶＤレコーダ２４からの入力信号に対して各種デジタル音声処理を行うデジタル音声処理部１０２、デジタル音声処理部１０２によってデジタル音声処理された信号をアナログ変換するＤＡ変換部１１５、ＤＡ変換部１１５によってアナログ変換されたアナログ信号を増幅してパワーアンプ１０３へ出力するプリアンプ１１６、電源部１１７などを備えている。また、メイン制御部７と音声制御部１０１とはＵＳＢによって接続されている。
【００２３】
［筐体３１の構成の説明］
筐体３１は、図４に示すように、その内部に基板３２を備え、この基板３２には、複数のＨＤＤ１０，１１をそれぞれ装着可能な複数のＨＤＤコネクタ３３，３４およびＬＥＤ１２，１３が設置されている。また、ＨＤＤコネクタ３３，３４はメイン制御部７に接続されている。なお、上述のＨＤＤコネクタ３３，３４は、特許請求の範囲におけるスロットに該当する。
【００２４】
また、筐体３１は、図４および図５に示すように、ＨＤＤコネクタ３３，３４に装着されたＨＤＤ１０，１１をＨＤＤコネクタ３３，３４に対して着脱するために、開閉可能な前面パネル３５をその前部に備えている。
【００２５】
［ＨＤＤ１０，１１の構成の説明］
ＨＤＤ１０，１１は、図４および図５に示すように、カラオケコマンダ２０の前面パネルを開放した際に露出する場所に設置されている。これらＨＤＤ１０には、各種プログラムを記憶するエリアのほか、カラオケ演奏するための曲データを記憶するエリアなどを備えている。また、ＨＤＤ１１は、ＨＤＤ１０と同様に各種プログラムを記憶するエリアのほか、カラオケ演奏するための曲データを記憶するエリアなどを備えており、ＨＤＤ１０が記憶する各種プログラムおよびデータをバックアップするよう構成されている。
【００２６】
また、ＨＤＤ１０，１１は、その内部にエラーが発生した場合には、ＨＤＤ１０，１１内部のエラー検出レジスタにエラー情報を書き込んで、メイン制御部７が前記レジスタを読み込むことにより、もしくはエラー発生によってＨＤＤ１０，１１からの応答が無くなったことをメイン制御部７がタイムアウトを検出することにより、そのエラーを検出するよう構成されている。
【００２７】
なお、ＨＤＤ１０，１１は補助記憶装置に該当する。
［ＬＥＤ１２，１３の構成の説明］
ＬＥＤ１２，１３は、基板３２に取り付けられている。このうちＬＥＤ１２は、ＨＤＤ１０の上方に設置されることによりＨＤＤ１０と関連付けられており、ＨＤＤ１０の内部にエラーが発生した場合には発光することによりその旨を報知することができる。また、ＬＥＤ１３は、ＨＤＤ１１の上方に設置されることによりＨＤＤ１１と関連付けられており、ＨＤＤ１１の内部にエラーが発生した場合には発光することによりその旨を報知することができる。
【００２８】
なお、ＬＥＤ１２，１３は発光部に該当する。
［メイン制御部７の構成の説明］
メイン制御部７は、図１に示すように、カラオケコマンダ２０全体を制御する機能を有している。また、メイン制御部７は、ＬＡＮインターフェイス２およびＬＡＮを介して別のカラオケコマンダ２０と接続されている。さらに、メイン制御部７は、モデム３および電話回線を介してホストＰＣ２１と接続されている。また、メイン制御部７は、映像入力部４、映像出力ＭＰＥＧデコード８、エラー表示回路９、ＨＤＤ１０，１１、ＬＥＤ１２，１３、および音声制御部１０１にそれぞれ接続されている。
【００２９】
また、メイン制御部７は、エラー検知部７ａおよびシリアルＩ／Ｏ７ｂを備えている。エラー検知部７ａは、ＨＤＤ１０，１１の内部にエラーが発生した際に各ＨＤＤから送信される信号を検知することにより、その信号を送信した特定のＨＤＤにおけるエラー発生を検知するよう構成されている。
【００３０】
このように構成されたメイン制御部７は、ＤＶＤプレーヤ２４から映像入力部４を介して取得した映像データや、ＨＤＤ１０，１１から読み出した映像データを映像出力ＭＰＥＧデコード８に送信してデコード処理を行い、デコード処理後のデータをモニタ２５にて映像出力させることができる。また、メイン制御部７は、ＨＤＤ１０，１１からカラオケ演奏に対応するＭＩＤＩデータを読み出し、その読み出したＭＩＤＩデータをシリアルＩ／Ｏ７ｂを介して音声制御部１０１に送信することができる。さらに、メイン制御部７は、エラー検知部７ａによって特定のＨＤＤにおけるエラー発生を検知した場合には、その旨をエラー表示回路９に送信することができる（ＥＲ信号・ＥＲＷＲ信号出力処理、後述）。
【００３１】
なお、メイン制御部７は、エラー検出部に該当する。
［エラー表示回路９の構成の説明］
エラー表示回路９は、ＨＤＤ１０，１１にてエラーが発生した旨を、ＬＥＤ１２，１３を発光されることにより利用者に対して報知するよう構成されている。具体的には、エラー表示回路９は、ダイオード９１，９２、蓄電部としての充電電池（または電気二重層コンデンサ）９３、ＩＣ９４（７４ＨＣ３７３）、抵抗９５，９６、トランジスタ９７，９８などを備えている。
【００３２】
なお、ダイオード９１は、コマンダ本体３０の電源が遮断されたときに充電電池９３の電流が電源部１１７に逆流を防ぐための逆流防止ダイオードである。また、トランジスタ９７，９８は、ＩＣ９４のオン動作に伴い、ＬＥＤ１２，１３を点灯させるためのスイッチング動作素子である。また、ＩＣ９４は、低消費電力の一般的な７４型標準ロジックである。なお、メイン制御部７が出力したＨＤＤ１０のＥＲ信号，ＨＤＤ１１のＥＲ信号、ＥＲＷＲ信号の入力タイミングに対するＩＣ９４のラッチ１Ｑ、２Ｑの出力は、７４ＨＣ３７３のラッチ１Ｑ、２Ｑの動作と同じである（図３のタイミングチャート参照）。
【００３３】
このうち、ダイオード９１のアノードは電源部１１７の電源出力Ｖ２に接続されており、前記電源出力Ｖ２からＤＣ５Ｖの電力を取得することができる。また、このダイオード９１のカソードはダイオード９２のアノードに接続されている。さらに、ダイオード９２のカソードはＩＣ９４の端子２０、抵抗９５の一端および抵抗９６の一端に接続されている。また、ダイオード９１のカソードとダイオード９２のアノードの間には充電電池９３の正端子が接続されている。なお、充電電池９３の負端子は接地されている。
【００３４】
ダイオード９２のカソードにその一端が接続された抵抗９５の他端は、ＬＥＤ１２のアノードに接続されている。また、このＬＥＤ１２のカソードは、トランジスタ９７のコレクタに接続されている。さらに、このトランジスタ９７のベースは、ＩＣ９４のラッチ１Ｑ（端子２）に接続されており、トランジスタ９７のエミッタは接地されている。
【００３５】
また、同様にダイオード９２のカソードにその一端が接続された抵抗９６の他端は、ＬＥＤ１３のアノードに接続されている。また、このＬＥＤ１３のカソードは、トランジスタ９８のコレクタに接続されている。さらに、このトランジスタ９８のベースは、ＩＣ９４のラッチ２Ｑ（端子５）に接続されており、トランジスタ９８のエミッタは接地されている。
【００３６】
ＩＣ９４のラッチ１Ｄ（端子３）およびラッチ２Ｄ（端子４）はメイン制御部７に接続されており、メイン制御部７からＨＤＤのエラー信号を取得することができる。また、ＩＣ９４のＬＥ端子（端子１１）は、メイン制御部７に接続されており、メイン制御部７からＥＲＷＲ信号を取得することができる。また、ＩＣ９４のＨＣ３７３（端子１３，１４）および端子１，７，８，１０，１６，１７は接地されている。
【００３７】
このように構成されたエラー表示回路９は、メイン制御部７によって複数のＨＤＤ１０，１１のうちの特定のＨＤＤにエラーが発生したと判断された場合には、その旨を、その特定のＨＤＤに対応するＬＥＤを発光させることによって報知させることができる。また、エラー表示回路９は、電源部１１７からの電力供給が停止している場合には、充電電池９３が蓄積した電力を利用して、ＨＤＤ交換時間として予め設定した設定時間の間、ＬＥＤを引き続き発光させることができる。なお、本実施形態では、ＨＤＤの交換時間を考慮して、上述の設定時間を１０分に設定している。
【００３８】
［設定時間についての説明］
本実施形態では、上述の設定時間は次のように設定されている。すなわち、カラオケボックスにて、ＨＤＤを交換に要する工数は、電源コンセント２６をＡＣ電源から取り外してカラオケコマンダ２０の電源を遮断（オフ）した以降、（１）前面パネル３５を開き、（２）故障したＨＤＤをＨＤＤコネクタから取り外し、（３）故障していない（新しい）ＨＤＤをＨＤＤコネクタに装着するまでである。また、カラオケボックスの大きさは、一般的に数人が充分にリラックスしながら歌唱可能な部屋であり、カラオケコマンダ２０のＨＤＤ交換作業をするにも充分な部屋の広さであり、カラオケコマンダ２０の電源を遮断すれば、その場で直ぐにＨＤＤ交換作業が開始可能であるため、前記工数（１）〜（３）に要する時間は最大でも１０分間であればよいと考えられる（図３の時刻ＴＡ２から時刻ＴＡ３までの間の時間）。したがって、充電電池９３の容量は、エラー表示回路９を１０分間以上動作させるための容量が必要となる（図３の時刻ＴＡ２から時刻ＴＡ４との間の時間）。
【００３９】
［充電電池９３の容量についての説明］
また、本実施形態では、充電電池９３の容量は次のように設定されている。すなわち、ＩＣ９４の消費電流は、例えば「Ｐｈｉｌｉｐｓ  Ｓｅｍｉｃｏｎｄｕｃｔｏｒｓ  Ｐｒｏｄｕｃｔ  ｓｐｅｃｉｆｉｃａｔｉｏｎ」に開示されており、出力電流０の場合で約１００ｍＡ以下である。また、ＬＥＤ１２，１３の消費電力は、一般のＬＥＤ（例えば商品名：ローム社ＳＭＬ−３１１）であれば点灯時に約２ｍＡである。また、抵抗９５，９６については、前記電流が２ｍＡになるように設定されている。また、トランジスタ９７の消費電流は、ベース−エミッタ間電流とコレクターエミッタ間電流の合計で、後者はＬＥＤ１２，１３の消費電流であり、前者は前記ＬＥＤ１２，１３の消費電流が２ｍＡの時、電流増幅率を数値「１００」としてベース電流は２０μＡとなり、この電流がＩＣ９４のラッチ１Ｑ、２Ｑの出力としてトランジスタ９７のベースに供給される。よって、例えば２つのＬＥＤ１２，１３が同時に点灯したとしても、エラー表示回路９の消費電力は約５ｍＡとなる。
（ＩＣ９４の消費電流：０．１ｍＡ＋０．０２ｍＡ×２）＋（ＬＥＤ１２，１３の消費電流：２ｍＡ×２）＝４．１２ｍＡ
・・・式（Ａ）
したがって、充電電池９３については、出力電圧５Ｖおよび出力電流約５ｍＡを１０分間以上維持できる容量を有するものを用意すればよい。なお、上述のような容量をもった電源としては、小容量のニッカド充電電池や電気二重層型コンデンサ（スーパーキャパシタ：商標）が利用可能である。
【００４０】
なお、電源部１１７の出力が、電源スイッチ１ａと連動する電源出力Ｖ１、および電源スイッチ１ａとは連動しない電源出力Ｖ２の２系統ではなく、一律に電源スイッチ１ａと連動する電源出力Ｖ１のみである場合における充電電池９３の容量についても、上述と同様の条件を考慮して決定すればよい。このことは次のような理由による。すなわち、カラオケコマンダ２０のＨＤＤ１０，１１が故障していることを検出しても、カラオケコマンダ２０においては、ＨＤＤ１０，１１が二重化されているためにカラオケ演奏は継続可能である。したがって、カラオケボックスなどの営業時間の間はカラオケコマンダ２０の電源はオンされたままであり、エラー表示回路９については、電源出力Ｖ１から電力が供給され続ける。そして、カラオケボックスなどの管理者は、カラオケ演奏が行われないカラオケコマンダ２０の営業時間外に故障を検出し、故障と判断すれば電源スイッチ１ａをオフにした以降に故障したＨＤＤを交換するからである。
【００４１】
また、ＨＤＤの交換時間が上述のような「１０分間以内」とは異なる場合には、上記計算式（Ａ）に基づいて、そのＨＤＤ交換時間に対応する充電電池９３の容量を予め決定すればよい。
【００４２】
なお、エラー表示回路９は発光制御部に該当する。
［音声制御部１０１の構成の説明］
音声制御部１０１は、その内部にマイコン１０１ａを備えており、メイン制御部７から出力された楽曲データ（ＭＩＤＩ信号）をデジタル音声処理部１０２に対して出力するとともに、その楽曲データに対するデジタル音声処理をデジタル音声処理部１０２に指示する機能を有する。
【００４３】
［デジタル音声処理部１０２の構成の説明］
デジタル音声処理部１０２は、デジタル音声処理部１０２全体の動作を制御するＣＰＵに、バスを介してＲＯＭ、ＲＡＭ、ＭＩＤＩ音源部、イコライザ、ＤＳＰ（デジタルシグナルプロセッサ）が接続されている。
【００４４】
ＤＳＰは、ボイスエフェクト部と周波数解析部とを備えており、マイク２２，２３を介して入力された音声信号はマイクアンプ５にて増幅されている。また、ＤＳＰは、ミュージックエフェクト部とイコライザとを備えている。
【００４５】
ＲＯＭには、このデジタル音声処理部１０２の動作を制御するアプリケーションプログラムなどが記憶されている。
ＭＩＤＩ音源部は、曲データの楽音トラックのデータに基づいて（デジタル）楽音信号を形成する。曲データは、カラオケ演奏時に、デジタル音声処理部１０２のＣＰＵがメイン制御部７のＣＰＵを介してＨＤＤ１０，１１から読み出す。楽音トラックは複数トラックで構成されており、ＭＩＤＩ音源部はこのデータに基づいて複数パートの楽音信号を同時に形成する。ＭＩＤＩ音源部が形成した楽音信号がカラオケ演奏音であり、これらはミュージックエフェクト部を介してイコライザに入力される。また、ＭＩＤＩ音源部は、音圧周波数特性の調整のために用いる測定用信号であるいわゆるピンクノイズを発生させることができる。
【００４６】
イコライザは、このカラオケ演奏音に対して所定の音響効果を付与するのであるが、具体的には、２０Ｈｚ〜２０ｋＨｚの周波数帯域を１５の帯域（バンド）に分割し、それぞれの周波数帯域の音圧に対するゲイン値を−１２ｄＢ〜＋１２ｄＢの範囲で変更する。イコライザによって音圧周波数特性が変更されたデジタル楽音信号は、ＤＡ変換部１１５によってアナログ信号に変換され、パワーアンプ１０３を介してスピーカ１０４へ出力される。
【００４７】
一方、マイク２２，２３から入力された歌唱音声信号あるいは音信号は、マイクアンプ５にて増幅され、ＡＤ変換部１１１を介してデジタル信号に変換されてボイスエフェクト部及び周波数解析部へ入力する。ボイスエフェクト部では歌唱音声信号に対してエコーなどの音響効果を付与して出力する。ボイスエフェクト部から出力された歌唱音声信号は、ミュージックエフェクト部から出力されたカラオケ演奏音に対応する楽音信号とミキシングされてイコライザへ出力される。
【００４８】
［電源部１１７の構成の説明］
電源部１１７は、電源コンセント２６がＡＣ電源に接続されている際にその電源コンセント２６を介してＡＣ電源から電力を取得し、その取得した電力をＤＣ５Ｖへ変換して当該カラオケコマンダ２０の構成部位へ供給する機能を有する。また、電源部１１７は、電源スイッチ１ａがオンである場合にのみ、ＤＣ５Ｖに変換した電力を供給する端子（電源出力Ｖ１）と、電源スイッチ１ａの状態に拘わらずＤＣ５Ｖに変換した電力を常に供給する端子（電源出力Ｖ２）とを備えている。なお、本実施形態では、上述の端子（電源出力Ｖ２）にエラー表示回路９が接続されており、エラー表示回路９は、電源コンセント２６がＡＣ電源に接続されている際には、電源スイッチ１ａの状態に拘わらず常にＤＣ５Ｖの電力の供給を受けることができるが、電源コンセント２６がＡＣ電源に接続されていない場合には電源出力Ｖ１，Ｖ２ともＤＣ５Ｖの電力は電源部１１７から供給されない。また、電源出力Ｖ１からは、エラー表示回路９以外のカラオケコマンダ２０の構成部位（例えばメイン制御部７、ＨＤＤ１０，１１など）に電力が供給される。
【００４９】
［ＥＲ信号・ＥＲＷＲ信号出力処理の説明］
以下に、メイン制御部７が実行するＥＲ信号・ＥＲＷＲ信号出力処理の処理手順を図１２のフローチャートに基づいて説明する。
【００５０】
このＥＲ信号・ＥＲＷＲ信号出力処理は、カラオケコマンダ２０が起動している間に実行される。
まず、ステップＳ３１０では、ＨＤＤ１０，１１それぞれのエラー検出レジスタを参照してエラー情報が記憶されているか否かを判断する。ＨＤＤ１０，１１何れかのエラー検出レジスタにエラー情報が記憶されていないと判断された場合には（Ｓ３１０：Ｎ）、再びＳ３１０を実行する。一方、ＨＤＤ１０，１１何れかのエラー検出レジスタにエラー情報が記憶されていると判断された場合には（Ｓ３１０：Ｙ）、Ｓ３２０に移行する。
【００５１】
Ｓ３２０では、ＥＲ信号を出力する。具体的には、ＨＤＤ１０のエラー検出レジスタにエラー情報が記憶されていると判断された場合にはＨＤＤ１０の動作が正常からエラーになったとしてＨＤＤ１０のＥＲ信号を図３に示すタイミングで出力し、ＨＤＤ１１のエラー検出レジスタにエラー情報が記憶されていると判断された場合にはＨＤＤ１１の動作が正常からエラーになったとしてＨＤＤ１１のＥＲ信号を図３に示すタイミングで出力する。もしくは、ＨＤＤ１０またはＨＤＤ１１に対してデータの読み出しまたはデータの書き込みを行うときに一定時間応答がなくタイムアウトと判断された場合にも、同様にＨＤＤ１０のＥＲ信号またはＨＤＤ１１のＥＲ信号を図３に示すタイミングで出力する。
【００５２】
続くＳ３３０では、ＥＲＷＲ信号を図３に示すタイミングで出力する。そして本処理を終了する。
［カラオケコマンダ２０の動作の説明］
次に、カラオケコマンダ２０の動作を、図２および図３を参照して説明する。なお、図３はエラー表示回路の動作を示すタイムチャートである。
【００５３】
電源コンセント２６がＡＣ電源に接続されている場合には、メイン制御部７などのカラオケコマンダ２０の構成部位に対しては、電源スイッチ１ａがオンである場合にのみＤＣ５Ｖの電力が電源部１１７から供給され、エラー表示回路９に対しては、電源スイッチ１ａの状態に拘わらず常にＤＣ５Ｖの電力が電源部１１７から供給される。この場合、電力が供給されたメイン制御部７からは、ダイオード９１，９２を経由してＩＣ９４へ電力が供給されるとともに、ダイオード９１を経由して充電電池９３に電力が供給されて蓄電される。
【００５４】
また、ＩＣ９４においては、７４ＨＣ３７３型ラッチ回路であるので、エラー（ＥＲ）信号とＥＲＷＲ信号とを受信していないときには、ラッチ１Ｑおよびラッチ２Ｑの出力はローレベルなので、トランジスタ９７，９８は動作せず、ダイオード９２に供給された電力は、ＬＥＤ１２，１３へは供給されない。よって、ＬＥＤ１２，１３は、消灯状態となる。
【００５５】
ここで、例えばＨＤＤ１０の内部にエラーが発生した場合には、エラー表示回路９がＨＤＤ１０に対応付けられたＬＥＤ１２を発光させてＨＤＤ１０の内部にエラーが発生した旨を報知する。具体的には、メイン制御部７がＨＤＤ１０のエラー発生を検出した場合には、メイン制御部７は、ＨＤＤ１０のエラー信号（ＥＲ信号）をＩＣ９４へ送信するとともに、ＥＲＷＲ信号をＩＣ９４へ時間ＴＡ１の間送信する（ＥＲ信号・ＥＲＷＲ信号出力処理のＳ３２０およびＳ３３０参照）。これに対してＩＣ９４では、ＥＲ信号を受信し、且つＥＲＷＲ信号を受信したタイミングで、ラッチ１Ｑの出力をハイレベルにしてトランジスタ９７のベースに電圧を印加させる。すると、トランジスタ９７においては、コレクタからエミッタへ通電可能となり、ダイオード９１，９２、抵抗９５、ＬＥＤ１２の順に電流が流れてＬＥＤ１２を発光させ、さらにその電流がトランジスタ９７のコレクタおよびエミッタを経由して接地へと流れる。また、ＩＣ９４では、ＥＲＷＲ信号を受信した以降（図３の時刻ＴＡ１参照）は端子１Ｄ，２Ｄからの論理レベルがラッチ１Ｑ，２Ｑの出力レベルとしてそれぞれ保持されるので、ＨＤＤ１０にてエラーが発生している旨を示す情報を記憶している。
【００５６】
また、エラーが発生したＨＤＤ１０を交換する際には、作業者が前面パネル３５を開放させてＨＤＤ１０を露出させるとともに（図４および図５参照）、電源コンセント２６をＡＣ電源から取り外すことにより、ＡＣ電源から電源部１１７への電力供給が停止する（図２の時刻ＴＡ２参照）。この場合、電源部１１７からカラオケコマンダ２０の各構成部位への電力供給も停止し、したがって電源出力Ｖ２からダイオード９１などへの電力供給も停止する。すると、充電電池９３に蓄積された電力がダイオード９２に供給され、ダイオード９２、抵抗９５、ＬＥＤ１２の順に電流が流れてＬＥＤ１２を発光させ、さらにその電流がトランジスタ９７のコレクタおよびエミッタを経由して接地へと流れる。なお、充電電池９３は、ＨＤＤ交換時間として予め設定した設定時間の間、ＬＥＤ１２に対して電力を供給することができる（図２の時刻ＴＡ２および時刻ＴＡ３参照）。
【００５７】
充電電池９３に蓄積された電力がすべて放電されると、ＬＥＤ１２には電力が供給されなくなってＬＥＤ１２が消灯する（図２の時刻ＴＡ４参照）。
また、ＨＤＤ１１にエラーが発生した場合には、エラー表示回路９が、このＨＤＤ１１に対応付けられたＬＥＤ１３を発光させる。なお、この場合のメイン制御部７やエラー表示回路９などの動作については、ＨＤＤ１０にエラーが発生した場合と同様であるのでここでは省略する。
【００５８】
また、電源コンセント２６をＡＣ電源から取り外さずに電源スイッチ１ａのみをオフにした場合には、電源出力Ｖ２からのみ電力供給されるので、上述の設定時間に拘わらずＨＤＤ１０，１１を交換することができる。
【００５９】
［効果］
このように実施形態のカラオケコマンダ２０によれば、次のような効果を奏する。すなわち、メイン制御部７によって複数のＨＤＤのうちの特定のＨＤＤにエラーが発生したと判断された場合には、エラー表示回路９が、電源部１１７から供給された電力を利用して、その特定のＨＤＤに対応するＬＥＤを発光させてエラーが発生した旨を報知させる。そして、エラーが発生したＨＤＤを交換する際に当該カラオケコマンダ２０の電源部１１７への電力供給が停止された場合にも、エラー表示回路９が、充電電池９３から供給された電力を利用してＬＥＤを引き続き発光させて特定のＨＤＤにエラーが発生した旨を報知させる。このように、エラーが発生したＨＤＤの設置位置をＬＥＤによる発光によって報知するとともに、当該カラオケコマンダ２０への電力供給が停止した場合でも充電電池９３に蓄えておいた電力を利用してＬＥＤによる発光を継続するので、電源スイッチ１ａの操作または電源コンセント２６をＡＣ電源からの取り外しの何れかによってカラオケコマンダ２０への電力供給が停止した場合でも、エラーが発生したＨＤＤを作業者が容易に特定することができる。
【００６０】
また、実施形態のカラオケコマンダ２０によれば、エラーが発生したＨＤＤの設置位置をＬＥＤによる発光によって報知するので、カラオケコマンダ２０が暗い場所に設置されている場合でも、エラーが発生したＨＤＤを作業者が容易に特定することができる。
【００６１】
また、実施形態のカラオケコマンダ２０によれば、メイン制御部７によって特定のＨＤＤにエラーが発生したと判断された場合には、エラー表示回路９によって直ちにそのＨＤＤに対応するＬＥＤを発光させるので、特定のＨＤＤにエラーが発生したことを迅速に知らせることができる。
【００６２】
また、実施形態のカラオケコマンダ２０によれば、エラーが発生したＨＤＤの設置位置をＬＥＤによる発光によって報知するので、電源コンセント２６がＡＣ電源から取り外された状態でも、交換すべきＨＤＤを特定し続けることができ、前記ＡＣ電源による感電事故の発生を防止して、カラオケコマンダ２０の筐体３１の内部にあるＨＤＤを交換する作業の安全性を向上させることができる。
【００６３】
［他の実施形態］
以上、本発明の一実施形態について説明したが、本発明は上記実施形態に限定されるものではなく、以下のような様々な態様にて実施することが可能である。
【００６４】
（１）上記本実施形態のカラオケコマンダ２０においては、２つのＨＤＤ１０，１１およびこれらＨＤＤそれぞれに対応する２つのＬＥＤ１２，１３を備えているが、３つ以上のＨＤＤおよびこれらＨＤＤにそれぞれ対応する３以上のＬＥＤを備えてもよい。
【００６５】
（２）上記実施形態のカラオケコマンダ２０では、各種プログラムや曲データを記憶するための複数のＨＤＤ１０，１１を備えているが、これには限られず、各種プログラムや曲データを記憶する構成であれば他の構成を備えてもよい。一例を挙げると、書換型ＩＣカードなどの補助記憶装置である。
【００６６】
また、上記実施形態のカラオケコマンダ２０では、ＨＤＤにエラーが発生した旨を報知するためのＬＥＤ１２，１３を備えているが、これには限られず、ＨＤＤにエラーが発生した旨を発光によって報知するための構成であれば、他の構成を備えてもよい。一例を挙げると、電球などの発光部である。
【００６７】
（３）上記実施形態のカラオケコマンダ２０では、ＬＥＤ１２，１３が、ＨＤＤ１０，１１の上方にそれぞれ設置されることによりＨＤＤ１０，１１と関連付けられているが、これには限られず、ＬＥＤ１２，１３がＨＤＤ１０，１１とそれぞれ関連付けられていれば他の位置に設置されてもよい。一例を挙げると、図６に例示するように、ＬＥＤ１２，１３とＨＤＤ１０，１１とが互いに離れた位置に設置されていても、パネルやＨＤＤコネクタ３３，３４などに印刷や捺印された線分や円などの図形や文字、記号によって両者を互いに関連付けるといった具合である。また、図７に例示するように、ＬＥＤ１２，１３を、例えば前面パネル２３５の裏面におけるＨＤＤ１０，１１の近傍にそれぞれ設置するといった具合である。
【００６８】
（４）上記実施形態のカラオケコマンダ２０では、メイン制御部７によって特定のＨＤＤにエラーが発生したと判断された場合にはエラー表示回路９によって直ちにそのＨＤＤに対応するＬＥＤを発光させるよう構成しているが、これには限られず、例えば、メイン制御部７によって特定のＨＤＤにエラーが発生したと判断され、且つ電源部１１７からの電力供給が停止したときにＬＥＤを発光させてもよい。なお、エラー表示回路９は電源状態検出部に該当する。このようにすれば、エラーが発生したＨＤＤを交換すると想定される「ＬＥＤに対して電源部１１７から電力供給がなされていない」と判断されたときにＬＥＤを発光させることができ、ＨＤＤの交換が行われない時間帯に充電電池１９３の電力が浪費されることを防ぐことができる。
【００６９】
（５）また、メイン制御部７によって特定のＨＤＤにエラーが発生したと判断され、且つ電源部１１７からの電力供給が停止したときに、筐体３１の前面パネル３５が開放されたときにＬＥＤを発光させてもよい。
【００７０】
具体的には、図１０（ａ）に例示するように、筐体３１の内部には、ＨＤＤ１０，１１がそれぞれ装着されているか否かを検知するためのクランプスイッチ３６，３７が設置されている。これらクランプスイッチ３６，３７は、ＨＤＤ１０，１１をＨＤＤコネクタ３３，３４からそれぞれ取り外すとスイッチが閉路（オン）となり、一方、ＨＤＤ１０，１１をＨＤＤコネクタ３３，３４にそれぞれ装着すると開放（オフ）となるノーマルクローズ型スイッチである。すなわち、クランプスイッチ３６は、図１１（ａ）および（ｂ）に例示するように、接点Ａ３６ａ、接点Ｂ３６ｂ、接触板３６ｃ、当接部３６ｄを備えており、ＨＤＤ１０がＨＤＤコネクタ３３に取り付けられている場合には、ＨＤＤ１０によって押されて移動した当接部３６ｄによって接触板３６ｃが押され、押された接触板３６ｃが接点Ｂ３６ｂから離れた状態となって接点Ａ３６ａと接点Ｂ３６ｂとが接触しない状態となり（図１１（ａ）参照）、一方、ＨＤＤ１０がＨＤＤコネクタ３３から取り外されている場合には、接触板３６ｄが接点Ｂ３６ｂと接触した状態となって接点Ａ３６ａと接点Ｂ３６ｂとが接触した状態となる（図１１（ｂ）参照）。なお、クランプスイッチ３７についてはクランプスイッチ３６と同様であるのでここでは詳細な説明は省略する。したがって、メイン制御部７は、上述のクランプスイッチ３６，３７の状態によってＨＤＤコネクタ３３，３４にＨＤＤ１０，１１がそれぞれ装着されているか否かを個別に検知することができる。なお、メイン制御部７およびクランプスイッチ３６，３７は補助記憶装置検出部に該当する。
【００７１】
また、筐体３１の内部には、前面パネル３５が開放されているか否かを検知するためのクランプスイッチ３８が設置されている。このクランプスイッチ３８は、前面パネル３５を開放すると閉路（オン）となるノーマルクローズ型スイッチである。すなわち、クランプスイッチ３８は、図１１（ｃ）および（ｄ）に例示するように、クランプスイッチ３６と同様に、接点Ａ３８ａ、接点Ｂ３８ｂ、接触板３８ｃ、当接部３８ｄを備えており、前面パネル３５が閉鎖している場合には、前面パネル３５によって押されて移動した当接部３８ｄによって接触板３８ｃが押され、押された接触板３８ｃが接点Ｂ３８ｂから離れた状態となって接点Ａ３８ａと接点Ｂ３８ｂとが接触しない状態となり（図１１（ｃ）参照）、一方、前面パネル３５が開放している場合には、接触板３８ｄが接点Ｂ３８ｂと接触した状態となって接点Ａ３８ａと接点Ｂ３８ｂとが接触した状態となる（図１１（ｄ）参照）。なお、メイン制御部７およびクランプスイッチ３８は開放検出部に該当する。
【００７２】
一方、エラー表示回路１９０は、図８に例示するように、ダイオード１９１，１９２、蓄電部としての充電電池１９３、レジスタ用ＩＣとしてＩＣ１９４（７４ＨＣ７４）、抵抗１９５，１９６、トランジスタ１９７，１９８などを備えている。
【００７３】
なお、ダイオード１９１は、上述のダイオード９１と同様に、コマンダ本体３０の電源が遮断されたときに充電電池９３の電流が電源部１１７に逆流を防ぐための逆流防止ダイオードである。また、トランジスタ１９７，１９８は、上述のトランジスタ９７，９８と同様に、ＩＣ１９４のオン動作に伴い、ＬＥＤ１２，１３を点灯させるためのスイッチング動作素子である。また、ＩＣ１９４は、低消費電力の一般的な７４型標準ロジックである。なお、メイン制御部７が出力したＨＤＤ１０のＥＲ信号，ＨＤＤ１１のＥＲ信号、ＥＲＷＲ信号の入力タイミングに対するＩＣ１９４のラッチ１Ｑ、２Ｑの出力は、７４ＨＣ７４のラッチ１Ｑ、２Ｑの動作と同じである（図９のタイミングチャート参照）。
【００７４】
このうち、ダイオード１９１のアノードは電源部１１７の電源出力Ｖ２に接続されており、前記電源出力Ｖ２からＤＣ５Ｖの電力を取得することができる。また、このダイオード１９１のカソードはダイオード１９２のアノードに接続されている。さらに、ダイオード１９２のカソードはＩＣ１９４の端子「Ｖｃｃ」（端子１４）、端子「／ＰＲＥ」（端子１０）、クランプスイッチ３８を介して抵抗１９５の一端および抵抗１９６の一端に接続されている。また、ダイオード１９１のカソードとダイオード１９２のアノードの間には充電電池１９３の正端子が接続されている。なお、充電電池１９３の負端子は接地されている。
【００７５】
ダイオード１９２のカソードにクランプスイッチ３８を介してその一端が接続された抵抗１９５の他端は、ＬＥＤ１２のアノードに接続されている。また、このＬＥＤ１２のカソードは、トランジスタ１９７のコレクタに接続されている。さらに、このトランジスタ１９７のベースは、ＩＣ１９４の端子「１Ｑ」（端子５）に接続されており、トランジスタ１９７のエミッタは接地されている。
【００７６】
また、同様にダイオード１９２のカソードにクランプスイッチ３８を介してその一端が接続された抵抗９６の他端は、ＬＥＤ１３のアノードに接続されている。また、このＬＥＤ１３のカソードは、トランジスタ１９８のコレクタに接続されている。さらに、このトランジスタ１９８のベースは、ＩＣ１９４の端子「２Ｑ」（端子９）に接続されており、トランジスタ１９８のエミッタは接地されている。
【００７７】
ＩＣ１９４の端子「１Ｄ」（端子２）および端子「２Ｄ」（端子１２）はメイン制御部７に接続されており、メイン制御部７からＨＤＤのエラー信号を取得することができる。また、ＩＣ１９４の端子「１ＣＬＫ」（端子３）および端子「２ＣＬＫ」（端子１１）は、メイン制御部７に接続されており、メイン制御部７からＥＲＷＲ信号を取得することができる。また、ＩＣ１９４の端子「／ＣＬＲ１」（端子１）は、クランプスイッチ３６の一端に接続されており、端子「／ＣＬＲ２」は、クランプスイッチ３７の一端に接続されている。なお、クランプスイッチ３６，３７の他端は、それぞれ接地されている。また、ＩＣ１９４の端子「ＧＮＤ」（端子７）は接地されている。
【００７８】
例えばＨＤＤ１０の内部にエラーが発生した場合には、エラー表示回路９がＨＤＤ１０に対応付けられたＬＥＤ１２を発光させてＨＤＤ１０の内部にエラーが発生した旨を報知する。すなわち、例えばＨＤＤ１０が読み取り不能などのエラーが発生した場合には、メイン制御部７は、ＨＤＤ１０のエラー信号（ＥＲ信号）をＩＣ１９４へ送信するとともに、ＥＲＷＲ信号をＩＣ１９４へ時間ＴＢ１の間送信する。ＩＣ１９４では、ＥＲＷＲ信号を受信した立ち上がりのタイミングでＨＤＤ１０にてエラーが発生している旨を示すＥＲ信号の電圧レベルを保存するため、ＩＣ１９４では、ＥＲ信号を受信し、且つＥＲＷＲ信号を受信したタイミングで、レジスタ１Ｑの出力はハイレベルとなり、トランジスタ１９７のベースに電圧を印加させる。なお、この状態では、前面パネル３５が閉鎖しているためにクランプスイッチ３８の接点が開放されており、ＬＥＤ１２への電力供給はなされない。
【００７９】
また、電源コンセント２６をＡＣ電源から取り外した場合には、ＡＣ電源から電源部１１７への電力供給が停止する（図５の時刻ＴＢ２参照）。この場合、電源部１１７からカラオケコマンダ２０の各構成部位への電力供給が電源出力Ｖ１，Ｖ２ともに停止し、したがって電源出力Ｖ２からダイオード９１などへの電力供給も停止する。なお、この状態でも、前面パネル３５が閉鎖しているためにクランプスイッチ３８の接点が開放されており、ＬＥＤ１２への電力供給はなされない。
【００８０】
さらに、エラーが発生したＨＤＤ１０を交換するために前面パネル３５が開放された場合には（図５の時刻ＴＢ３参照）、クランプスイッチ３８が閉じて充電電池９３に蓄積された電力がダイオード９２に供給され、ダイオード９２、抵抗９５、ＬＥＤ１２の順に電流が流れてＬＥＤ１２を発光させ、さらにその電流がトランジスタ９７のコレクタおよびエミッタを経由して接地へと流れる。なお、充電電池１９３は、ＨＤＤ交換時間として予め設定した設定時間の間、ＬＥＤ１２に対して電力を供給することができる（図５の時刻ＴＢ３および時刻ＴＢ９参照）。
【００８１】
なお、本別実施形態における設定時間の設定手法および充電電池１９３の容量の設定手法については、第一実施形態と同様であるので、ここでは詳細な説明は省略する。
このようにすれば、（イ）ＨＤＤの交換が行われない時間帯に、（ロ）もしくは、ＨＤＤ交換時には前面パネル３５が開放となるため、ＨＤＤ１０，１１が取り外された状態で、作業工具などが作業の誤操作などによってカラオケコマンダ２０の内部に入り込んだことによる感電事故を回避するために電源コンセント２６をＡＣ電源から取り外す直前まで、充電電池１９３の電力が浪費されることをより有効に防ぐことができる。
【００８２】
（６）また、メイン制御部７によって特定のＨＤＤにエラーが発生したと判断され、且つ筐体３１の前面パネル３５が開放されたときにＬＥＤを発光させてもよい。
具体的には、図８に例示したエラー表示回路１９０を、ダイオード１９２のカソードを、クランプスイッチ３８を介さずに抵抗１９５の一端および抵抗１９６の一端に接続するよう構成すればよい。この場合、例えばＨＤＤ１０の内部にエラーが発生したことにより、ＩＣ１９４がＥＲ信号を受信したタイミングで、ＥＲ信号を保存するためにレジスタ１Ｑの出力はハイレベルとなり、トランジスタ１９７のベースに電圧を印加させた場合において、電源コンセント２６をＡＣ電源から取り外した場合には、ＡＣ電源から電源部１１７への電力供給が停止する（図５の時刻ＴＢ２参照）。この場合、電源部１１７からカラオケコマンダ２０の各構成部位への電力供給も停止する。すると、充電電池１９３に蓄積された電力がダイオード１９２に供給され、ダイオード１９２、抵抗１９５、ＬＥＤ１２の順に電流が流れてＬＥＤ１２を発光させ、さらにその電流がトランジスタ１９７のコレクタおよびエミッタを経由して接地へと流れる。なお、充電電池１９３は、ＨＤＤ交換時間として予め設定した設定時間の間、ＬＥＤ１２に対して電力を供給することができる（図５の時刻ＴＢ３および時刻ＴＢ９参照）。
【００８３】
このようにすれば、ＨＤＤの交換が行われない時間帯に充電電池１９３の電力が浪費されることを防ぐことができる。
（７）エラーが発生したＨＤＤを交換した場合において、引き続きＬＥＤによる発光が続いていると、そのＨＤＤが交換されていないと認識されるおそれがあるため、エラーが発生したＨＤＤがＨＤＤコネクタから取り外された際にはＬＥＤの発光を終了させてもよい。
【００８４】
具体的には、例えばＬＥＤ１２を発光させている際にＨＤＤ１０がＨＤＤコネクタ３３から取り外されると、エラー表示回路１９０が、次のように動作する。すなわち、図８に例示するように、ＨＤＤ１０がＨＤＤコネクタ３３から取り外された場合には、クランプスイッチ３６の接点が閉鎖されことによってＩＣ１９４の端子「／ＣＬＲ１」はローレベルとなり、ＨＤＤ１０がＨＤＤコネクタ３３から取り外されたことをＩＣ１９４の１Ｑの主力はリセットされる。この場合、ＩＣ１９４のレジスタ１Ｑの出力はローレベルとなり、トランジスタ１９７のベースへの電圧印加が停止されたことにより、トランジスタ９７のコレクタへ電流が流れなくなり、ＬＥＤ１２が消灯する（図１０（ｂ）参照）。
【００８５】
このようにすれば、エラーが発生したＨＤＤをＨＤＤコネクタから取り外せばＬＥＤによる発光が終了するのに加えて、更にＬＥＤが消灯していてもＨＤＤを取り外したことによって新しくＨＤＤをセットするためのＨＤＤコネクタは容易に特定できるため、エラーが発生したＨＤＤを交換した場合においてそのＨＤＤが交換されていないと作業者に認識されるおそれがない。またこのようにすれば、カラオケコマンダ２０の電源がオフである際にも、ＨＤＤが交換されたか否かを作業者が知ることができる。
【００８６】
このように本別実施形態においても、カラオケコマンダ２０の電源スイッチ１ａがオフである際、または電源コンセント２６がＡＣ電源から取り外された際にもＨＤＤが交換されたか否かを作業者がより正確に知ることができる。また、電源コンセント２６がＡＣ電源から取り外された状態でもＨＤＤ１０，１１を正確に交換することは、カラオケのように専門の作業員でなく、通常の店員がＨＤＤ１０，１１を交換する場合において、前記ＡＣ電源による感電事故の発生を防止して、カラオケコマンダ２０の筐体３１の内部にあるＨＤＤを交換する作業の安全性を向上させることができる。
【図面の簡単な説明】
【００８７】
【図１】カラオケシステムの全体構成を示すブロック図である。
【図２】エラー表示回路の詳細を示す回路図である。
【図３】エラー表示回路の動作を示すタイムチャートである。
【図４】カラオケコマンダの内部に設置された複数のＨＤＤおよび複数のＬＥＤの設置位置を示す説明図（１）である。
【図５】カラオケコマンダの内部に設置された複数のＨＤＤおよび複数のＬＥＤの設置位置を示す説明図（２）である。
【図６】カラオケコマンダの内部に設置された複数のＨＤＤおよび複数のＬＥＤの設置位置の別実施形態を示す説明図（１）である。
【図７】カラオケコマンダの内部に設置された複数のＨＤＤおよび複数のＬＥＤの設置位置の別実施形態を示す説明図（２）である。
【図８】別実施形態のエラー表示回路の詳細を示す回路図である。
【図９】別実施形態のエラー表示回路が実行する動作を示すタイムチャート（１）である。
【図１０】（ａ）はカラオケコマンダの内部に設置された複数のＨＤＤおよび複数のＬＥＤの設置位置の別実施形態を示す説明図（３）であり、（ｂ）は別実施形態のエラー表示回路の動作を示すタイムチャート（２）である。
【図１１】（ａ）はＨＤＤが取り外されている場合におけるクランプスイッチの接点の状態を示す説明図であり、（ｂ）はＨＤＤが取り付けられている場合におけるクランプスイッチの接点の状態を示す説明図であり、（ｃ）は前面パネルが閉鎖されている場合におけるクランプスイッチの接点の状態を示す説明図であり、（ｄ）は前面パネルが開放されている場合におけるクランプスイッチの接点の状態を示す説明図である。
【図１２】ＥＲ信号・ＥＲＷＲ信号出力処理を示すフローチャートである。
【符号の説明】
【００８８】
１・・・フロントパネル、１ａ・・・電源スイッチ、１ｂ・・・曲コード入力スイッチ、１ｃ・・・７セグメントＬＥＤ、１ｄ・・・１チップＣＰＵ、２・・・ＬＡＮインターフェイス、３・・・モデム、４・・・映像入力部、５・・・マイクアンプ、６・・・ＡＤ変換部、７・・・メイン制御部、７ａ・・・エラー検知部、７ｂ・・・シリアルＩ／Ｏ、８・・・映像出力ＭＰＥＧデコード、９，１９０・・・エラー表示回路、１０，１１・・・ハードディスク（ＨＤＤ）、１２，１３・・・ＬＥＤ、２０・・・カラオケコマンダ、２１・・・ホストＰＣ、２２，２３・・・マイク、２４・・・ＤＶＤプレーヤ、２５・・・モニタ、２６・・・電源コンセント、３０・・・コマンダ本体、３１，１３１，２３１・・・筐体、３２，１３２，２３２，２３６・・・基板、３３，３４・・・ＨＤＤコネクタ、３５，１３５，２３５・・・前面パネル、３６，３７，３８・・・クランプスイッチ、３６ａ，３７ａ，３８ａ・・・接点Ａ、３６ｂ，３７ｂ，３８ｂ・・・接点Ｂ、３６ｃ，３７ｃ，３８ｃ・・・接触板、３６ｄ，３７ｄ，３８ｄ・・・当接部、９１，９２，１９１，１９２・・・ダイオード、９３，１９３・・・充電電池（電気二重層コンデンサ）、９４・・・７４ＨＣ３７３型ラッチ用ＩＣ、１９４・・・７４ＨＣ７４型レジスタ用ＩＣ、９５，９６，１９５，１９６・・・抵抗、９７，９８，１９７，１９８・・・トランジスタ、１０１・・・音声制御部、１０１ａ・・・マイコン、１０２・・・デジタル音声処理部、１０３・・・パワーアンプ、１０４・・・スピーカ、１１１・・・ＡＤ変換部、１１５・・・ＤＡ変換部、１１６・・・プリアンプ、１１７・・・電源部、１３６・・・ＬＥＤ１２とＨＤＤ１０との相互関係やＬＥＤ１３とＨＤＤ１０との相互関係を示すための捺印や印刷、２３７・・・接続コード、１０００・・・カラオケシステム
【図１】
2006163804.tif 000003
【図２】
2006163804.tif 000004
【図３】
2006163804.tif 000005
【図４】
2006163804.tif 000006
【図５】
2006163804.tif 000007
【図６】
2006163804.tif 000008
【図７】
2006163804.tif 000009
【図８】
2006163804.tif 000010
【図９】
2006163804.tif 000011
【図１０】
2006163804.tif 000012
【図１１】
2006163804.tif 000013
【図１２】
2006163804.tif 000014